(57)【特許請求の範囲】
【請求項１】
扉が基体に対し回動機構を介して閉位置と開位置とに切り換えられる扉開閉装置において、
前記基体は、摺動可能に組み付けられて前記扉に作動連結されているスライダーと、前記スライダーを一方向へ付勢している付勢手段とを有し、
前記回動機構は、前記扉が支持用アーム及び前記アームに設けられた円弧状ギア部並びに前記ギア部の円弧略中心に設けられた摺動部を有していると共に、前記基体が所定間隔を保って互いに略平行に設けられた前記円弧状ギア部と噛み合うラック部及び前記摺動部の動きを案内するガイド部を有し、
前記扉が前記スライダーの摺動により開閉されると共に、前記ラック部及びガイド部に沿って開位置と閉位置とに切り換えられることを特徴とする扉開閉装置。
【請求項２】
前記基体側のガイド部が第２ラック部として形成されていると共に、前記扉側の摺動部が前記第２ラック部に噛み合う歯車である請求項１に記載の扉開閉装置。
【請求項３】
前記扉が前記付勢手段の付勢力に抗して開位置から閉位置に切り換えられる請求項１に記載の扉開閉装置。
【請求項４】
前記扉がリンクを介して前記スライダーに揺動自在に連結されていると共に、前記リンクとの間に介在されたばね部材を有している請求項３に記載の扉開閉装置。
【請求項５】
前記スライダーに取り付けられたロータリー式ダンパー手段を有し、該ダンパー手段の出力軸に装着された回転ギアを前記基体に設けられたラック歯に噛み合わせている請求項１から４の何れかに記載の扉開閉装置。
【請求項６】
扉が基体に対し回動機構を介して閉位置と開位置とに切り換えられ、前記閉位置でラッチ機構を介して解除可能に係止される扉開閉装置において、
請求項３から５の何れかからなると共に、前記ラッチ機構は前記スライダー及び前記基体に対応して設けられた係脱機構部と、前記扉に設けられた解除用ノブとを有し、前記扉を付勢力に抗して開位置から閉位置方向へ切り換えたときに前記係脱機構部を介して係止し、前記ノブの操作により係止解除することを特徴とする扉開閉装置。
【請求項７】
扉が基体に対し回動機構を介して閉位置と開位置とに切り換えられ、前記閉位置でラッチ機構を介して解除可能に係止される扉開閉装置において、
請求項３から５の何れかからなると共に、前記ラッチ機構は前記スライダー及び前記基体に対応して設けられて、前記扉を付勢力に抗して開位置から閉位置方向へ切り換えたときに係止し、更に前記扉を同方向へ押して手を離すと係止解除するプッシュ・プッシュ係止機構であることを特徴とする扉開閉装置。
【発明の詳細な説明】
【技術分野】
【０００１】
本発明は、扉を基体に対し回動機構を介して開閉する扉開閉装置に関する。なお、本明細書において、「基体」は各種のケースやハウジング等を含み、「扉」は蓋や遮蔽板等を含む広義なものである。また、「ラッチ機構」はロックや係止機構と実質的に同じ意味である。
【背景技術】
【０００２】
図１１は特許文献１の扉開閉装置を、（ａ）が扉の閉位置、（ｂ）が扉の開位置で示している。この扉開閉装置は、扉３が基体２に対し回動機構を介し閉位置と開位置とに切り換えられ、閉位置でラッチ機構を介して解除可能に係止される。ここで、基体２は、上側がフランジ部２６で縁取りされ、側壁２３が後側２３ａを前側２３ｂに比べて外へ張り出しており、該張出端面に内外を連通する窓部を形成している。扉３は、基体２の内側から前記窓部を通して外へ配置される支持用アーム３１を有している。そして、回動機構特徴は、扉３のアーム３１に設けられた円弧状ギア部３７及び該ギア部３７の円弧中心に付設された回転ギア７を有していること、基体２が弓形リブ２７に設けられてギア部３７と噛み合う内歯形の第１固定ギア部２７ａ及び該第１固定ギア２７ａの内側に設けられて回転ギア７と噛み合う歯車形第２固定ギア部２８を有していること、回転ギア７がダンパー手段６の出力軸に装着されていることにある。また、ラッチ機構４は、扉３に突設した係合突部３４を基体２側に組み付けられているプッシュ・プッシュ係止機構（この機構は、プッシュオープン機構、又は、プッシュロック・プッシュオープン機構と称されることもある）に係脱する構成であり、扉３が付勢手段５の付勢力に抗して開から閉位置へ押し操作されると、扉側の係合突部３４を係止し、扉３が更に閉方向へ押されることで係止解除する。なお、付勢手段５は、コイル形のばね部材であり、一端５ａが基体側に設けられた突起２９に係止され、他端５ｂがアーム側に設けられた軸部３５に係止されている。
【０００３】
【特許文献１】特開２００３−１２９７４２号公報
【発明の開示】
【発明が解決しようとする課題】
【０００４】
上記文献１の扉開閉装置では、扉３が回動機構を構成している第１固定ギア部２７ａに沿った軌跡で開閉動作される。すなわち、回動機構としては、扉３が閉から開位置、開から閉位置に回動切り換えられるとき、扉３の回動支点を内歯形の第１固定ギア部２７ａに応じ下又は上に動かすことにより、開位置で扉３の基体２内からの張出量を抑えたり、ダンパー手段６の制動と共にギア同士の噛み合いに起因した良好な作動を得られるようにする。しかし、以上の回動機構では、円弧状ギア部３７が第２固定ギア２８と同心の第１固定ギア部２７ａに噛み合わせられるため扉の開閉軌跡を決めるときの自由度に欠け、しかもギア間の精度がだしづらく、ギア間の精度が出ないと、確実な作動が得られない。一方、ラッチ機構４としては、扉３が外力を受けたり熱変形すると、それが扉３に付設されている係合突部３４に直ちに影響し、例えば、係合突部３４の係止状態を不用意に解除したり誤作動を生じる虞があった。また、扉３が内面に突設した係合突部３４を介して係脱される関係で、扉の開位置で係合突部３４が基体内の上方に突出して外観を損ねたり、基体２内に物品を出し入れする際に邪魔となる。
【０００５】
本発明の目的は、以上のような課題を解消して、回動機構としては、特に、機構構成を簡素化したり切換作動特性を良好にして使い勝手をより向上する。ラッチ機構としては、特に、外観特性を改善したり扉の変形等によっても誤作動を生じないようにすることにある。
【課題を解決するための手段】
【０００６】
上記した目的を達成するために、請求項１の発明は、扉が基体に対し回動機構を介して閉位置と開位置とに切り換えられる扉開閉装置において、前記基体は、摺動可能に組み付けられて前記扉に作動連結されているスライダーと、前記スライダーを一方向へ付勢している付勢手段とを有し、前記回動機構は、前記扉が支持用アーム及び前記アームに設けられた円弧状ギア部並びに前記ギア部の円弧略中心に設けられた摺動部を有していると共に、前記基体が所定間隔を保って互いに略平行に設けられた前記円弧状ギア部と噛み合うラック部及び前記摺動部の動きを案内するガイド部を有し、前記扉が前記スライダーの摺動により開閉されると共に、前記ラック部及びガイド部に沿って開位置と閉位置とに切り換えれることを特徴としている。
【０００７】
以上の扉開閉装置は次のように具体化されることがより好ましい。
・前記基体側のガイド部が第２ラック部として形成されていると共に、前記扉側の摺動部が前記第２ラック部に噛み合う歯車である構成（請求項２）、
・前記扉が前記付勢手段の付勢力に抗して開位置から閉位置に切り換えられる構成（請求項３）、
・前記扉がリンクを介して前記スライダーに揺動自在に連結されていると共に、前記リンクとの間に介在されたばね部材を有している構成（請求項４）、
・前記スライダーに取り付けられたロータリー式ダンパー手段を有し、該ダンパー手段の出力軸に装着された回転ギアを前記基体に設けられたラック歯に噛み合わせている構成（請求項５）である。
【０００８】
また、上記した目的を達成するために、請求項６と７の発明は回動機構及びラッチ機構から特定したものである。すなわち、請求項６の発明は、扉が基体に対し回動機構を介して閉位置と開位置とに切り換えられ、前記閉位置でラッチ機構を介して解除可能に係止される扉開閉装置において、請求項３から５の何れかからなると共に、前記ラッチ機構は前記スライダー及び前記基体に対応して設けられた係脱機構部と、前記扉に設けられた解除用ノブとを有し、前記扉を付勢力に抗して開位置から閉位置方向へ切り換えられたときに前記係脱機構部を介して係止し、前記ノブの操作により係止解除することを特徴としている。これに対し、請求項７の発明は、扉が基体に対し回動機構を介して閉位置と開位置とに切り換えられ、前記閉位置でラッチ機構を介して解除可能に係止される扉開閉装置において、請求項３から５の何れかからなると共に、前記ラッチ機構は前記スライダー及び前記基体に対応して設けられて、前記扉を付勢力に抗して開位置から閉位置方向へ切り換えられたときに係止し、更に前記扉を同方向へ押して手を離すと係止解除するプッシュ・プッシュ係止機構であることを特徴としている。
【発明の効果】
【０００９】
・請求項１の発明では、例えば、文献１の従来機構に比べて、ラック部（第１ラック部）及びガイド部が所定間隔を保っているため簡易となり、扉の開閉軌跡を決める上で設計自由度を拡大できる。また、扉が基体に対するスライダーの摺動により開閉されるようにしたので、開閉作動をスライダーを介してより良好に維持したり、扉を基体側の対応面により接近しながら開閉されるようにしたり、形態例のごとく付勢手段の付勢力を扉側へ左右均等に加わるよう設定容易にする。
・請求項２の発明では、扉が基体側のラック部（第１ラック部）に対し支持アーム側の円弧状ギア部を噛み合わせ、第２ラック部に対し支持アーム側の歯車を噛み合わせた状態でより良好かつ安定した切り換え作動が実現される。
・請求項３の発明では、扉が付勢手段の付勢力に抗して開位置から閉位置に切り換えられる。
・請求項４の発明では、扉がスライダーにリンクを介して連結されているため動きが異なる扉（回動と移動）とスライダー（直線移動）との間に不要な応力が生じないようにリンクで吸収し、また、扉とリンクとの間に介在されたばね部材により扉の開及び閉位置でのがたつきを吸収したり、例えば、扉がスライダーの移動（付勢手段の付勢力による移動）に伴って閉から開方向へ切り換えられるときにばね部材をバネチャージするようにして扉の均等な動きを実現し易くする。
・請求項５の発明では、扉の開又は／及び閉速度をロータリー式ダンパー手段で制動する場合、該ダンパー手段が直線運動するスライダーに取り付けられることでダンパー手段に予定外の外力を加わらないようにして、ダンパー手段の破損等を防止する。
【００１０】
・請求項６と７の発明では、係脱機構部やプッシュ・プッシュ係止機構を扉と基体との間ではなく、スライダーと基体との間に設けることで、例えば、扉に加わる外力や熱変形等で不用意に係止解除される虞を解消できるようにする。また、請求項６の場合は、係脱機構部を介した扉の係止状態を解除用ノブの操作により係止解除するため手操作となるが、誤作動の虞を確実に解消できる。請求項７の場合は、プッシュ・プッシュ係止機構の利点、つまり係止と係止解除を共に扉の押し操作により行えるため操作性に優れ、解除用ノブ等を必要とないため外観特性を維持できる。
【発明を実施するための最良の形態】
【００１１】
本発明の最良な形態を図面を参照しながら説明する。なお、図１〜図９は扉開閉装置を適用したボックス構造を示し、図１０はラッチ機構の他の例を示している。以下の説明では、概要、構造、作動、変形例の順に詳述する。
【００１２】
（概要）形態例のボックス１は、箱状基体２が一側面に開口部を有し、該開口部が本発明の扉開閉装置を適用した扉３により開閉される。基体２は、扉３で開閉される開口部又はそれに相当する操作盤等の操作面（ここではそのような態様を含めて便宜上、開口と称する）を有しておればよく、適用製品に応じて設計される。よって、扉３も、閉位置で略垂直方向、開位置で略水平方向に配置されるものに限られず、例えば、基体が上側を開口しており、閉位置で略水平方向、開位置で略垂直方向に配置される態様でもよい。そして、扉開閉装置の特徴は、回動機構に関係してスライダー４と、付勢手段としてのコンストンバネ５と、制動用のダンパー手段６などを有し、ラッチ機構に関係して解除ノブ７などを有している。
【００１３】
（構造）基体２は、図５に示されるごとく、上下面２０，２１及び両側面２２と背面２３により内部を区画し前側を開口した容器状をなしている。上面２０には、前両側に突出された取付片部２０ａと、左右中間で前後方向に延びている配置板２４と、配置板２４の前側で前後方向に延びている係止壁部２９（図９を参照）などが設けられている。このうち、配置板２４は、略矩形状をなし、両側のうち、一側に沿って設けられている歯形状のラック歯２５と、他側に沿って設けられている案内壁部２６と、後側の略中間に隙間を保って対に突設されている支持部２７とを有している。係止壁部２９は、ラッチ機構の主要部を構成している後述するストライカー８を係止する箇所であり、前片側がテーパー状の誘導面２９ａに形成され、前端が係止面２９ｂに設定されている。なお、係止壁部２９は配置板２４側に形成してもよい。下面２１には後両側に突出された取付片部２１ａが設けられている
【００１４】
両側面２２は、下側２２ａが上側２２ｂより外に張り出しており、その段差部から上側に略矩形状の枠部材１０がねじ等の手段で取り付けられている。枠部材１０は、多数の縦リブ２２ｃに支持されて、前より後側を高くした傾斜状態に配設され、枠下片部及び枠上片部の内面にそれぞれ対向して設けられた歯形状の第１ラック部１１及び第２ラック部１２と、第２ラック部１２の下側に位置しかつ該第２ラック部１２に沿って設けられているガイド溝１３（図１を参照）とを有している。
【００１５】
配置部２４には、スライダー４が摺動自在に組み込まれると共に、コンストンバネ５が両支持部２７に保持される。すなわち、スライダー４は、作図上一部を省略したり簡略化しているが、両側が配置部２４の対応側縁を摺動自在に挟み込む略コ形状をなし、中間部４０が一段高い逆凹状に形成されている。また、中間部４０と一方側との間の部分４１にはロータリー式のダンパー手段６が取り付けられている。ダンパー手段６は、オイルダンパー等からなり、作動油等の抵抗を受けている回転軸と、該回転軸の先端側に装着されたギアとを有し、取付状態で前記ギアがラック歯２５の一部と噛合している。このため、ダンパー手段６は、スライダー４の摺動速度を制動すると共に、配置部２４に対するスライダー４の不用意ながたつきを吸収可能にする。
【００１６】
コンストンバネ５は、本体が両支持部２７に対し保持され、該本体から引き出された板バネ５ａの引き出し端側をスライダー４の中間部４０の逆凹状内を通って、中間部４０の前部分に設けられた掛止部４０ａ（図８を参照）に係止した状態で、スライダー４を付勢力により常に後方へ付勢している。これに対し、中間部と他方側との間の部分４２には前方へ突出した延長部４３が設けられている。延長部４３は、図９から推察されるように、片側部を開口した空洞部４３ａを有し、該空洞部４３ａに対しストライカー８及びストライカー８を突出する方向へ付勢する不図示の付勢手段を配置している。ストライカー８は、空洞部４３ａに配置される支持部８ａと、支持部８ａの突出端に設けられた小ブロック状の係合部８ｂと、係合部８ｂの前端に下設された当接部８ｃとを有している。当接部８ｃの下端面はテーパー状に形成されている。そして、ストライカー８は、スライダー４がコンストンバネ５の付勢力に抗して前方移動される途中で、誘導面２９ａに当接し、該誘導面２９ａから受ける反力により付勢力に抗して空洞部内へ後退されながら該誘導面を通り過ぎると、図９（ａ）のごとく付勢力により再び突出して、前端の係止面２９ｂに係止される。該係止状態では、スライダー４がコンストンバネ５の付勢力に抗して最前方位置（扉の開位置）に保持される。
【００１７】
扉３は、図８に示されるごとく接合された外板３０及び内板３１で形成され、全体が側面視で略くの字形に湾曲され、ラッチ機構を構成している解除用ノブ７及びばね部材１８が内部に組み込まれている。ここで、ノブ７は、図９に示されるごとく全体が上下に長いレバー状をなし、下側が一段幅広に形成され、その幅広になった外面に突設された操作部７ａと、上側が折り曲げられ、その折曲部７ｂの上向きとなった端面に形成されたテーパー状の押圧部７ｃと、ばね部材１８を位置決め支持する不図示の突起とを有している。なお、当接部８ｃ及び押圧部７ｃは、押圧部７ｃが当接部８ｃに接した状態で上昇されると、ストライカー８が退避方向へ動き易いテーパー形状に設定されている。これに対し、外板３０には、前記操作部６ａを内側より外へ上下動可能に配置する通し孔３０ａが下側中間部に設けられている。内板３１には、両側に対向している支持用アーム３２と、両アーム３２の内側に突出している遮蔽用の横リブ３１ａと、上側中間部に突出している対の取付用片部３５と、一方の片部３５の外側に開口されて前記折曲部７ｂを上下動可能に挿通する細長い通し孔３６とが設けられている。符号３１ｂはノブ７の下側部分を配置する逃げ用の張出部である。また、外板３０及び内板３１は、対向面に不図示のリブなどを有し、そのリブなどで形成される空間部３ａ（図４を参照）にノブ７をコイル形のばね部材１８と共に可動自在に配置している。
【００１８】
支持用アーム３２は、先端外周に形成されて第１ラック１１と噛み合う円弧状ギア部３２ａと、ギア部３２ａの円弧中心に止め具１５などを介して枢支されて第２ラック部１２と噛み合う歯車３３と、歯車３３と同軸線上に配置されてガイド溝１３に嵌合された状態で移動される突起状の摺動部３４とを有している。そして、この形態では、回動機構として、第１ラック部１１に対する円弧状ギア部３２ａの噛み合い状態での動きと、第２ラック部１２に対する歯車３３の噛み合い状態での動きと、ガイド溝１３に対する摺動部３４の嵌合状態での動きにより扉３の回動及び移動運動を伴った開閉軌跡をほぼ確定すると共に、次に述べるように扉３をスライダー４にリンク９を介して連結することで扉３の良好な開閉作動を実現している。
【００１９】
すなわち、リンク９は、図８に示されるように、前側が同軸線上に設けられ２カ所の突起９ａを扉側の対応する片部３５の軸孔３５ａに嵌合した状態で扉３に対し揺動自在に連結され、後側がスライダー側中間部４０の前側に設けられた掛止部４０ａに引っ掛けた状態でスライダー４に対し揺動自在に連結されている。また、リンク９と扉３との間にはコイルスプリング１６が介在されている。該コイルスプリング１６は、突起９ａ及び対応端面から突出した２カ所の支持部９ｂに支持され、一端が扉側に係止され、他端がリンク側に係止されて、扉３がスライダー４の後方移動により回動及び移動運動するのに伴って付勢力を蓄積増大するよう巻き込まれる。但し、扉３は、リンク９を介さず直にスライダー４に揺動自在に連結し、かつ、該連結部にコイルスプリング１６に相当するばね部材を介在するようにしてもよい。
【００２０】
（作動）図７及び図９（ａ）は扉３が基体２の開口部を完全に閉じた閉位置の状態である。この閉位置において、ラッチ機構としては、スライダー４がコンストンバネ５の付勢力に抗して最前方位置にあり、図９（ａ）のごとくスライダー側のストライカー８を係止壁部２９の係止面２９ｂに係止した状態で保持され、扉３がその位置規制されたスライダー４にリンク９を介して保持されている。回動機構としては、扉両側のアーム３２において、円弧状ギア部３２ａが第１ラック部１１の歯と噛み合い、歯車３３が第２ラック部１２の歯と噛み合い、摺動部３４がガイド溝１３と嵌合している。
【００２１】
扉３を閉位置から開に切り換えるときは、ノブ７が操作部７ａを介して上向きに押圧操作されると、ばね部材１８の付勢力に抗して上方移動されて、押圧部７ｃがストライカー側当接部８ｃの下端面に当接し、更に互いのテーパー形状の滑り作用によってストライカー８を付勢力に抗して空洞部４３ａ内に後退させる。このようにして、ストライカー８は、後退されると、係合部８ｂが上記した係止壁部２９の係止面２９ｂから外れて、係止解除される。図９（ｂ）はその係止解除時の状態を示している。なお、ノブ７は操作部７ａから手を離すとばね部材１８の付勢力により初期位置に移動される。この解除状態では、スライダー４がコンストンバネ５の付勢力により後方移動され、扉３がリンク９を介してそのスライダー４で駆動される。開位置では、扉３が前記した第１と第２ラック部１１，１２及びガイド溝１３に沿った移動により基体２から張り出す張出部分を大きく減じており、外観特性等も改善されている。
【００２２】
そして、扉３の開閉は、第１ラック部１１に対する円弧状ギア部３２ａの噛み合い状態での動きと、第２ラック部１２に対する歯車３３の噛み合い状態での動きと、ガイド溝１３に対する摺動部３４の嵌合状態での動きにより扉３の回動及び移動運動を伴った軌跡となる。また、切換過程では、歯同士の噛み合いにより速度を緩和し、かつダンパー手段６による制動を受ける。なお、回動機構としては、例えば、第２ラック部１２と歯車３３との噛み合いを省略して、第１ラック部１１と円弧状ギア部３２ａとの噛み合いと、ガイド溝１３に対する摺動部３４の嵌合状態での動きにより扉３の回動及び移動運動を伴った開閉軌跡をほぼ確定することも可能である。
【００２３】
扉３を再び閉位置にする場合は、扉３をコンストンバネ５の付勢力などに抗して前側に引き寄せる。すると、今度は、前記とは逆に円弧状ギア部３２ａが第１ラック部１１の歯に噛み合いながら、歯車３３が第２ラック部１２の歯と噛み合いながら、摺動部３４がガイド溝１３に案内されながら回動と下移動する。すると、ストライカー８は、スライダー４がコンストンバネ５の付勢力に抗して前方移動される途中で、誘導面２９ａに当接し、該誘導面２９ａから受ける反力により付勢力に抗して空洞部内へ後退されながら該誘導面を通り過ぎると、図９（ａ）のごとく付勢力により再び突出して、前端の係止面２９ｂに係止される。該係止状態では、スライダー４がコンストンバネ５の付勢力に抗して最前方位置に保持され、扉３がそのスライダー４にリンク９を介して開位置に保持されることになる。
【００２４】
以上の構造では、作動特徴として、まず、扉３の動きが回動及び移動運動であるため、直進運動するスライダー４との間に互いの動きを吸収するリンク９を介在するようにした点、扉３をスライダー４を介してコンストンバネ５の付勢力にて駆動する場合、扉３の重心点が移動する関係で扉３の開き速度が変化し易くなる（この例では扉が開くほど加速され易くなる）ので、扉３の開量（スライダー４の移動量）に比例して扉３の開き速度がコイルスプリング１６の付勢作用で減速されるようにした点、コンストンバネ５及びコイルスプリング１６の各付勢力を扉３の左右中間部で受けるようにして、扉３の両側に設けられた各アーム３２のギア３２ａなどに極力均等な駆動力を伝達可能にしている点、ダンパー手段６を直進運動するスライダー４に設けるようにしてダンパー手段に予期せぬ外力が極力加わらないようにした点などでも工夫されている。
【００２５】
（変形例）図１０のラッチ機構は、扉３をリンク９及びスライダー４を介し、かつコンストンバネ５の付勢力に抗して開位置から閉位置方向へ切り換えたときに係止し、更に扉３を同方向へ押して手を離すと係止解除するプッシュ・プッシュ係止機構を採用したときの一例である。すなわち、この変形例では、プッシュ・プッシュ係止機構として、特開２００４−１３７７２５や特願２００４−２０１０５０等に記載されているラッチ装置５０を基体側配置部２４に設けた取付枠部２４ａに装着し、スライダー４の部分４２の後端面に突設したストライカー４５をラッチ装置５０に係脱するようにしたものである。勿論、この場合には、上記形態のノブ７、ストライカー８、係止壁部２９、扉側のノブ配置部などが省略される。ラッチ装置５０は、一端側を開口したハウジング５１と、ストライカー４５と当接する突当部５２及びカム溝５３を有し、ハウジング５１内に配置されてばね部材５５の付勢力に抗して移動される摺動体５４と、トレース用ピン部材５６と、衝撃吸収用応動体５７と、先端側の爪５８ａ及び基端側のピン５８ｂを有し、摺動体５４に回転可能に枢支されている係合爪５８とを備えている。このうち、係合爪５８は、摺動体５４の対応部に対し軸部を嵌合した状態で枢支されていて、摺動体５４の移動により、摺動体内にほぼ退避した係止解除位置と、同図のごとく摺動体内から爪５８ａを突出してストライカー４５を押さえる係止位置とに切り換えられる。係止解除位置では、摺動体５４がばね部材５５の付勢力でハウジング５１の入口側に移動されると共に、係合爪５８がハウジング内に設けられた不図示のリブにピン５８ｂを乗り上げることでその状態を保つ。係止位置では、摺動体５４がストライカー４５の押し力によりばね部材５５の付勢力に抗してハウジング内側に移動され、該移動後の位置でカム溝５３及びピン部材５６の係合を介し維持されると共に、係合爪５８がピン５８ｂを前記したリブの張出部から低くなった部分に移動し、かつ傾動して爪５８ａを摺動体内から突出する。つまり、以上の係止機構では、係合爪５８が摺動体５４に対するストライカー４５の押し力（扉３の押操作によりリンク９を介してスライダー４を動かすこと）により係止解除位置から係止位置に切り換えられ、摺動体５４に対するストライカー４５の次の押し力により係止解除することから使い勝手に優れている。
【００２６】
なお、本発明は、請求項１で特定される技術要素を備えておればよく、細部は必要に応じて種々変更可能なものである。
【図面の簡単な説明】
【００２７】
【図１】形態例の扉開閉装置を適用したボックスを扉の開位置で示す外観図である。
【図２】図１のボックスを前側から見た正面図である。
【図３】図１のボックスを上から見た上面図である。
【図４】（ａ）は上記ボックスの側面図、（ｂ）は図３のＡ−Ａ線断面図である。
【図５】上記ボックスを扉の閉位置で示す外観図である。
【図６】図５のボックスを上から見た上面図である。
【図７】（ａ）は図６のボックスの側面図、（ｂ）は図６のＢ−Ｂ線断面図である。
【図８】上記扉及びスライダー等の一部を破断して示す構成図である。
【図９】上記扉開閉装置のラッチ機構を模式的に示す図である。
【図１０】上記ラッチ機構の他の例を示す図である。
【図１１】特許文献１の扉開閉装置を示す説明図である。
【符号の説明】
【００２８】
１…ボックス
２…基体（２４は配置部、２５はラック歯）
３…扉（３２はアーム、３２ａは円弧状ギア部、３３は歯車、３４は摺動部）
４…スライダー（４０は中間部、４１と４２は部分、４３は空洞部）
５…コンストンバネ（付勢手段）
６…ダンパー手段
８…ストライカー（係脱機構部に相当し、８ｂは係合部、８ｃは当接部）
１１…第１ラック部
１２…第２ラック部
１３…ガイド溝（ガイド部）
１６…コイルスプリング（ばね部材）
２９…係止壁部（係脱機構部に相当し、２９ｂは係止面）
４５…ストライカー
５０…ラッチ装置（プッシュ・プッシュ係止機構）
【図１】
0004738991.tif 000002
【図２】
0004738991.tif 000003
【図３】
0004738991.tif 000004
【図４】
0004738991.tif 000005
【図５】
0004738991.tif 000006
【図６】
0004738991.tif 000007
【図７】
0004738991.tif 000008
【図８】
0004738991.tif 000009
【図９】
0004738991.tif 000010
【図１０】
0004738991.tif 000011
【図１１】
0004738991.tif 000012